(57)【要約】【課題】トイレ室の限られたスペースに効率的に配置でき、効率的な暖房を可能としたトイレ用暖房装置及びこれを備えたトイレ用設備を提供する。【解決手段】上面が取付状態において略水平となる設置基準面とされ、前記設置基準面に対向する下面に温風を吹き出す吹出口が設けられ、前縁に向かって厚みが薄くなるように前記下面が傾斜してなることを特徴とするトイレ用暖房装置が提供される。また、トイレ室の壁面に沿って設けられる棚板と、前記棚板の下面に取り付けられる上記のトイレ用暖房装置と、を備えたことを特徴とするトイレ用設備が提供される。【選択図】図１
2008267670.tif 000002
【特許請求の範囲】
【請求項１】
上面が取付状態において略水平となる設置基準面とされ、前記設置基準面に対向する下面に温風を吹き出す吹出口が設けられ、前縁に向かって厚みが薄くなるように前記下面が傾斜してなることを特徴とするトイレ用暖房装置。
【請求項２】
空気を吸い込む吸気口が前記下面に設けられたことを特徴とする請求項１記載のトイレ用暖房装置。
【請求項３】
取付状態において、前記吹出口から斜め下方に向けて前記温風を吹き出すことを特徴とする請求項１または２に記載のトイレ用暖房装置。
【請求項４】
操作スイッチが配置された操作面が、前記下面から突出可能に設けられたことを特徴とする請求項１〜３のいずれか１つに記載のトイレ用暖房装置。
【請求項５】
トイレ室の壁面に沿って設けられる棚板と、
前記棚板の下面に取り付けられる請求項１〜４のいずれか１つに記載のトイレ用暖房装置と、
を備えたことを特徴とするトイレ用設備。
【請求項６】
前記トイレ用暖房装置は、前記棚板の便器に近い端部の下面に取り付けられることを特徴とする請求項５記載のトイレ用設備。
【請求項７】
前記トイレ用暖房装置は、トイレ室の略対角方向に向けて前記温風を吹き出すことを特徴とする請求項５または６に記載のトイレ用設備。
【請求項８】
前記棚板は、天板と、前記天板の前縁に結合された幕板と、を有し、
前記幕板は、前記トイレ用暖房装置の前記前縁を隠蔽してなることを特徴とする請求項５〜７のいずれか１つに記載のトイレ用設備。
【発明の詳細な説明】
【技術分野】
【０００１】
本発明は、トイレ用暖房装置及びトイレ用設備に関し、具体的にはトイレ室を暖房可能なトイレ用暖房装置及びこれを備えたトイレ用設備に関する。
【背景技術】
【０００２】
トイレ室を暖房することにより冬場でも快適にトイレを使用でき、他室との温度差による高齢者の脳卒中などを防ぐことができる。トイレ室を暖房する装置として、便器の背後にキャビネットを設置し、このキャビネットに設けた吹出口から温風を吹き出す暖房装置が開示されている（特許文献１）。
【特許文献１】特開２００５−２４９３１１号公報
【発明の開示】
【発明が解決しようとする課題】
【０００３】
しかし、便器の配置は当初から決まっている場合が多く、暖房用のキャビネットを便器の背後に設置することは容易ではない。また、トイレ室のスペースは限られており、見栄えや圧迫感の点でも改善の余地があった。またさらに、使用者の足下を含めたトイレ室のスペースを効率的に暖房するためにも、さらなる工夫が必要である。
【０００４】
本発明は、かかる課題の認識に基づいてなされたものであり、トイレ室の限られたスペースに効率的に配置でき、効率的な暖房を可能としたトイレ用暖房装置及びこれを備えたトイレ用設備を提供する。
【課題を解決するための手段】
【０００５】
本発明の一態様によれば、上面が取付状態において略水平となる設置基準面とされ、前記設置基準面に対向する下面に温風を吹き出す吹出口が設けられ、前縁に向かって厚みが薄くなるように前記下面が傾斜してなることを特徴とするトイレ用暖房装置が提供される。
【０００６】
また、本発明の他の一態様によれば、トイレ室の壁面に沿って設けられる棚板と、前記棚板の下面に取り付けられる上記のトイレ用暖房装置と、を備えたことを特徴とするトイレ用設備が提供される。
【発明の効果】
【０００７】
本発明によれば、トイレ室の限られたスペースに効率的に配置でき、効率的な暖房を可能としたトイレ用暖房装置及びこれを備えたトイレ用設備が提供される。
【発明を実施するための最良の形態】
【０００８】
以下、図面を参照しつつ、本発明の実施の形態について説明をする。なお、各図面中、同様の構成要素には同一の符号を付す。  
図１は、本発明の実施の形態に係るトイレ用暖房装置が設置されたトイレ室を例示する模式図である。  
また、図２は、このトイレ用暖房装置を正面から眺めた模式図である。  
また、図３は、このトイレ用暖房装置を横から眺めた模式図である。
【０００９】
図１に例示したトイレ室９００には、便器８００が設置され、その側方において第１の方向Ｘに延在した棚板１００が設けられている。便器８００には、温水洗浄便座装置８１０が設けられ、便座に座った使用者の「おしり」などに向けて水を噴射し洗浄可能とされている。  
棚板１００の下には、トイレットペーパー５９０を保持するペーパーホルダ５００が設けられている。また、棚板１００の下には、キャビネット６００、６０２などを設置してもよい。また、棚板１００には、水栓１７０を付設した手洗いボウル１６０を設けてもよい。
【００１０】
そして、便器８００の後方において、棚板１００の下にトイレ用暖房装置７００が設けられている。すなわち、トイレ用暖房装置７００は、その上面が取付状態において略水平となる設置基準面７００Ｔとされ、前縁に向けてその厚みが薄くなるように傾斜した下面７００Ｓと、を有する。下面７００Ｓをこのように傾斜させることによって、トイレ用暖房装置７００を棚板１００の下に隠蔽し、トイレ室９００に入室した使用者の視線からほぼ外すことができる。また、便器８００の脇のスペースは、便器８００が邪魔をするために手を伸ばしても届きにくく、キャビネットなどを配置しても使い勝手がよくない。これに対して、本実施形態によれば、トイレ室９００の見栄えを損なうことなく、便器８００の脇のデッドスペースに効率的にトイレ用暖房装置７００を配置することができる。
【００１１】
また、棚板１００の下にトイレ用暖房装置７００を設置することにより、水などがかかりにくく、ホコリや汚れもつきにくくなる。ホコリが付きにくいので、吸気口７０２にたまるダストも少なく、長期間にわたり円滑な送風動作が可能となる。  
またさらに、便器８００から万が一水が溢れでたような場合でも、トイレ用暖房装置７００の冠水を防止できる。
【００１２】
そして、本実施形態においては、トイレ用暖房装置７００の下面７００Ｓに、吸気口７０２と吹出口７０４とが設けられている。すなわち、トイレ室９００の空気は矢印Ａで表したように吸気口７０２から吸引され、加熱されて吹出口７０４から矢印Ｂの方向に吹き出される。
【００１３】
図４は、本実施形態のトイレ用暖房装置７００から吹き出される温風の方向を例示した模式図である。  
本実施形態においては、温風は矢印Ａで表したように、トイレ室９００の略対角方向に沿って斜め下方に向けて吹き出される。トイレ用暖房装置７００から吹き出された温風は、便器８００の前端８００Ｐの付近の床面の近くを流れ、広がりながら対角方向に向けて上昇する。このように、トイレ室９００の略対角方向に沿って温風を吹き出すことにより、トイレ室９００をむらなく効率的に暖めることが可能となる。また特に、便器８００の前端８００Ｐの付近の床面の近くに温風が供給されることにより、使用者の足下が暖まり、極めて効率的な暖房が可能となる。  
一方、夏場などは、ヒータを停止させ、涼風を送風させることにより、トイレ室９００の空気を循環させて快適な空間をつくることもできる。
【００１４】
図５は、本実施形態のトイレ用暖房装置７００の内部構造を例示する模式図である。  
また、図６は、このトイレ用暖房装置７００の風路を表す模式図である。  
トイレ用暖房装置７００の吸気口７０２には防塵フィルタ７０８が設けられている。防塵フィルタ７０８は着脱可能とされ、洗浄や交換を容易に行うことができる。また、吸気口７０２の内側には脱臭触媒シート７０９が設けられている。ファン７１２により吸気されたトイレ室９００の空気に含まれる臭気成分を脱臭触媒シート７０９に吸着させ、臭気を除去することができる。また、サーミスタ７１０を設けて室内の温度を計測可能としている。
【００１５】
吸気された空気は、温風用のダクト７１４と芳香用のダクト７３０に分岐して流れる。温風用のダクト７１４には、ヒータ７１８と温度ヒューズ７２０が設けられている。ヒータ７１８は、サーモスタット７２１により制御される。また、加熱された温風の風路は、マイカ７２４により保護されている。温風の吹出口７０４にはルーバー７２８が設けられ、吹き出し方向が上下左右方向の少なくともいずれかに調節可能とされている。
【００１６】
一方、ファン７１２により吸引され芳香用のダクト７３０に送られた空気は、フレグランス用トレイ７３４に設けられた芳香剤の揮発成分が混入され、吹出口７３８から放出される。このようにして、温風と、芳香を含む空気と、がそれぞれ放出される。なお、図示しない風路切り替え手段を設け、温風用のダクト７１４と芳香用のダクト７３０のいずれか一方のみに送気するようにしてもよい。
【００１７】
本実施形態によれば、吹出口７０４が設けられたトイレ用暖房装置７００の下面７００Ｓが棚板１００の主面に対して傾斜している。すなわち、トイレ用暖房装置７００の厚みが前方に向けて薄くなるように下面７００Ｓが傾斜している。下面７００Ｓをこのように傾斜させることにより、矢印Ｂで表したように、吹出口７０４から斜め下方に向けて温風を吹き出しやすくなる。つまり、温風の吹き出し方向（矢印Ｂ）に対して、吹出口７０４が設けられた下面７００Ｓを垂直に近づけることができる。その結果として、吸気口７０２から垂直に近い方向に温風を吹き出させることができ、吹き出し部の損失を低減できる。
【００１８】
なお、図５に表したように、棚板１００は、例えば、天板１１０と、幕板１２０と、をＬ型アングル１３０で結合した構造とすることができる。また、天板１１０は、化粧板１１２と、補強板１１４と、を積層した構造とすることができる。そして、図５に表したように、幕板１２０は、トイレ用暖房装置７００の前縁を隠蔽するように設けられ、使用者からトイレ用暖房装置７００が見えないようにして見栄えをすっきりさせている。
【００１９】
次に、本実施形態のトイレ用暖房装置７００の下面７００Ｓの傾斜についてさらに詳しく説明する。  
図７は、標準的なトイレ室における平面配置関係を表す模式図である。  
多くのトイレ室９００において、ドアの配置は、便器８００に対して側面の端に設けられるか（９０２Ａ）、または対向正面の端に設けられる（９０２Ｂ）。本実施形態によれば、これらいずれの場合も、ドア９０２Ａ、９０２Ｂを開けてトイレ室９００に入室する使用者の視線からトイレ用暖房装置７００をほぼ外すことができる。
【００２０】
図８は、ドア９０２Ａの位置に立った使用者の視線を表す模式図である。  
この時、ドア９０２Ａからトイレ用暖房装置７００の後端までの距離は、１５７３ミリメータである。身長の５パーセントタイル値によると、成人女性の視点の高さは、１３２１ミリメータである。つまり、成人女性の９５パーセントの視点は、１３２１ミリメータよりも高い。同様に、成人男性の９５パーセントの視点は、１４３２ミリメータよりも高い。
【００２１】
図８に表したように、標準的なサイズのトイレ室９００において、棚板１００の奥行きを１７０ミリメータ（図７参照）、棚板１００の上面を床面から７５０ミリメータ、幕板１２０の下端を棚板１００上面から９０ミリメータ、としたとき、トイレ用暖房装置７００の前端の厚みを棚板１００上面から９０ミリメータ、トイレ用暖房装置７００の後端の厚みを棚板１００上面から１９４ミリメータ、とすれば、成人男女の９５パーセント以上は、ドア９０２Ａの位置からトイレ用暖房装置７００が見えない。つまり、ドア９０２Ａの位置に立った使用者の視線からトイレ用暖房装置７００を外すことができる。
【００２２】
図９は、ドア９０２Ｂの位置に立った使用者の視線を表す模式図である。  
この時、ドア９０２Ｂからトイレ用暖房装置７００の後端までの距離は、１５８１ミリメータである。図９においても、成人女性及び男性の視点の高さの５パーセントタイル値に基づいて視線を表した。
【００２３】
ドア９０２Ｂの位置からみた場合には、トイレ用暖房装置７００の前端の厚みを棚板１００上面から９０ミリメータ、トイレ用暖房装置７００の後端の厚みを棚板１００上面から２３５ミリメータ、とすれば、成人男女の９５パーセント以上は、ドア９０２Ｂの位置からトイレ用暖房装置７００が見えない。つまり、ドア９０２Ｂの位置に立った使用者の視線からトイレ用暖房装置７００を外すことができる。
【００２４】
このように、本実施形態によれば、棚板１００の下にトイレ用暖房装置７００を設置することより、トイレ室９００に入る使用者からはその存在が殆ど気にならず、見栄えがすっきりとして美観を保つことができる。
【００２５】
図１０は、比較例としてのトイレ用暖房装置を例示した模式図である。  
例えば、キャビネット６００の下方に設けられた吹出口７９０あるいはキャビネット６００の前面に設けられた吹出口７９２から温風を吹き出す比較例の場合、便器８００の後方にまで温風を行き渡らせることが容易ではない。つまり、トイレ室９００の前半部のみに温風が滞留しやすく、むらのない暖房のためには改善の余地がある。
【００２６】
一方、便器８００の脇の棚板１００の下に、ヒータユニット７９４を設けて温風を吹き出させる比較例の場合、トイレ室９００の対角方向に温風を吹き出すことも可能であるが、トイレ室９００の床面に設置すると、吹出口の位置は低く、温風を下方に吹き出すことは困難である。このようなヒータユニット７９４から吹き出された温風は吹き出し直後にすぐに床面にあたって上昇を開始してしまい、対角方向の床面にまで行き渡らない。またさらに、ヒータユニット７９４を床面に設置すると、狭いトイレ室９００のスペースを圧迫し、見栄えが悪く美観を損ねる。
【００２７】
一方、便器８００の後方にキャビネットを設け、その吹出口７９６から温風を吹き出させる比較例の場合、暖房用のキャビネットを便器の背後に設置することは容易ではなく、また圧迫感や見栄えの点でも改善の余地がある。また、吹出口７９６からみて便器８００の正面の空間は死角となり、使用者が専ら存在する便器８００の正面の空間を効率的に暖房できない点で改善の余地がある。
【００２８】
これら比較例に対して、本実施形態によれば、棚板１００の下にトイレ用暖房装置７００を設置することにより、デッドスペースを有効に活用して見栄えがよく美観にもすぐれる。そして、図４に関して前述したように、トイレ室９００の略対角方向に沿って斜め下方に温風を吹き出させることにより、使用者の足下からトイレ室９００の全体を効率的にむらなく暖めることができる。特に、棚板１００の下という高い位置から温風を斜め下方に吹き出させることにより、トイレ室９００の床面に干渉されずに温風を対角方向の隅にまで行き渡らせることができる。
【００２９】
図１１は、本実施形態のトイレ用暖房装置の制御システムを例示するブロック図である。  
本実施形態のトイレ用暖房装置７００は、単独で独立制御による動作を可能としてもよい。また一方、図１１に表したように、リモコンや温水洗浄便座装置８１０からの制御により動作させてもよい。すなわち、図１１に表した具体例の場合、ビルトインリモコン２００と、電源ユニット６１０と、による制御系が設けられている。ビルトインリモコン２００からの有線による制御信号が電源ユニット６１０に送信され、電源ユニット６１０から有線により電力と制御信号がトイレ用暖房装置７００に出力される。
【００３０】
一方、温水洗浄便座装置８１０を制御するフラットリモコン２８０とスティックリモコン２９０が設けられ、これらから赤外線により制御信号が温水洗浄便座装置８１０に送信される。温水洗浄便座装置８１０は電波送信部８４０を有し、電源ユニット６１０に設けられた電波受信部２３０に電波による制御信号を送信する。つまり、トイレ用暖房装置７００は、フラットリモコン２８０やスティックリモコン２９０によっても制御可能とされている。
【００３１】
またさらに、温水洗浄便座装置８１０に設けられた人体検知センサ（図示せず）などによる人体検知情報に基づいて、トイレ用暖房装置７００を制御することも可能である。具体的には、使用者がトイレ室９００に入室すると、温水洗浄便座装置８１０に設けられた人体検知センサがこれを検知し、電源ユニット６１０に制御信号を送信することで、トイレ用暖房装置７００の運転を自動的に開始させることもできる。
【００３２】
図１２は、本具体例のビルトインリモコン２００と電源ユニット６１０を例示する模式図である。  
棚板１００の下には、ビルトインリモコン２００が取り付けられている。そして、リモコン２００の前部の下にはペーパーホルダ５００が固定ピース５１０により固定されている。一方、ペーパーホルダ５００の背後において、棚板１００の裏面にＬ型アングル３５０が取り付けられている。電源ユニット６１０は、Ｌ型アングル３５０にネジ３５３で締め付けることにより取り付けられている。そして、電源ユニット６１０には、トイレ用暖房装置７００などに電力を供給するためのコンセント６１２が設けられている。
【００３３】
図１３は、本実施形態のトイレ用暖房装置の操作部の構造を例示する模式図である。  
トイレ用暖房装置７００の下面７００Ｓには、電源のオンオフやヒータのオンオフ、風量の切り替えなどの操作スイッチを適宜設けることができる。これら操作スイッチは、下面７００Ｓに設けられた操作部７４０の操作面７４２に配置することができる。この場合、操作部７４０を可動にして、図１３（ａ）に表したように収納させた状態においては、操作面７４２が下面７００Ｓと略同一面となるようにすれば、トイレを使用する使用者にとって目立つことがなく、見栄えや美観を損ねることもない。一方、図１３（ｂ）に表したように、操作部７４０を引き出せば、操作面７４２は正面方向を向くので、使用者は操作面７４２に設けられたスイッチ類を操作しやすく便利である。
【００３４】
（実施例）
本発明者は、本実施形態にかかるトイレ用暖房装置と、比較例のトイレ用暖房装置と、についてそれぞれシミュレーションによる解析を行った。
【００３５】
図１４及び図１５は、本実施形態及び比較例のトイレ用暖房装置による暖房効果のシミュレーション結果を表す模式図である。  
ここでは、比較例として、図１０に表したキャビネット６００の下方の吹出口７９０から温風を吹き出すものを採用した。暖房開始前のトイレ室９００の室内温度は５℃、吹出口７０４および吹出口７９０の温度は１００℃、とし、暖房を開始した後のトイレ室９００における１５℃の等温線の広がり方を比較した。
【００３６】
図１４（ａ）は、本実施形態のトイレ用暖房装置を用いた場合の温風吹出から３０秒後の１５℃の等温線７５０の分布を表す。また、図１４（ｂ）は、比較例のトイレ用暖房装置を用いた場合の温風吹出から３０秒後の１５℃の等温線７５０の分布を表す。
【００３７】
また、図１４（ｃ）、（ｅ）、図１５（ａ）、（ｃ）、（ｅ）は、それぞれ本実施形態のトイレ用暖房装置を用いた場合の、暖房開始から６０秒後、９０秒後、１２０秒後、１５０秒後、２４０秒後における１５℃の等温線７５０の分布を表す。同様に、図１４（ｄ）、（ｆ）、図１５（ｂ）、（ｄ）、（ｆ）は、比較例のトイレ用暖房装置を用いた場合の、暖房開始から６０秒後、９０秒後、１２０秒後、２４０秒後における１５℃の等温線７５０の分布を表す。
【００３８】
この温度分布解析の結果、本実施形態の場合、温風の吹き出しから６０秒後には、トレイ用暖房装置からみてトイレ室９００の対角方向の隅部までほぼ１５℃の等温線７５０が広がり、さらに９０秒後には、対角の隅部の床面付近まで１５℃の等温線７５０が広がっていることが分かる。つまり、トイレ室９００の殆ど全体がむらなく暖められている。その後、１２０秒、１５０秒、２４０秒後においても、トイレ室９００の全体が暖かい空気により包まれた状態が維持される。
【００３９】
一方、比較例の場合、吹出口７９０から吹き出した温風は、トイレ室９００の入り口付近（便器とは反対側）ですぐに上昇してしまい、便器８００の周囲に暖かい空気が供給されない。この傾向は、温風吹出から２４０秒が経過した時にも変わらず、１５℃の等温線７５０は、トイレ室９００の片隅のみに局在している。つまり、便器８００の周囲は効率的に暖房されず、便器８００の前に立ったり座って使用する使用者にとって暖房は不十分である。
【００４０】
これに対して、本実施形態によれば、温風吹出から６０秒後には便器８００の周囲のみならず、トイレ室９００の対角隅部までむらなく暖めることができる。その結果として、トレイ室９００に入室した使用者は、トイレ室９００の入口付近でも、便器８００の傍においても、暖められた空気に包まれ、トイレを快適に使用することができる。
【００４１】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、トイレ用暖房装置の形状やサイズ、及びトイレ用暖房装置を構成する各要素の構造やサイズ、形状、配置関係、数、材料などについて当業者が適宜変更したものも、本発明の要旨を含む限り本発明の範囲に包含される。
【００４２】
また、便器、温水洗浄便座装置、棚板や筐体、リモコン、ブラケット、ガイド、レール、取付具などの各要素の形状、寸法、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００４３】
【図１】本発明の実施の形態に係るトイレ用暖房装置が設置されたトイレ室を例示する模式図である。
【図２】トイレ用暖房装置を正面から眺めた模式図である。
【図３】トイレ用暖房装置を横から眺めた模式図である。
【図４】本実施形態のトイレ用暖房装置７００から吹き出される温風の方向を例示した模式図である。
【図５】本実施形態のトイレ用暖房装置７００の内部構造を例示する模式図である。
【図６】トイレ用暖房装置７００の風路を表す模式図である。
【図７】標準的なトイレ室における平面配置関係を表す模式図である。
【図８】ドア９０２Ａの位置に立った使用者の視線を表す模式図である。
【図９】ドア９０２Ｂの位置に立った使用者の視線を表す模式図である。
【図１０】比較例としてのトイレ用暖房装置を例示した模式図である。
【図１１】本実施形態のトイレ用暖房装置の制御システムを例示するブロック図である。
【図１２】本具体例のビルトインリモコン２００と電源ユニット６１０を例示する模式図である。
【図１３】本実施形態のトイレ用暖房装置の操作部の構造を例示する模式図である。
【図１４】本実施形態及び比較例のトイレ用暖房装置による暖房効果のシミュレーション結果を表すグラフ図である。
【図１５】本実施形態及び比較例のトイレ用暖房装置による暖房効果のシミュレーション結果を表すグラフ図である。
【符号の説明】
【００４４】
１００ 棚板、１１０ 天板、１１２ 化粧板、１１４ 補強板、１２０ 幕板、１３０ Ｌ型アングル、１６０ ボウル、１７０ 水栓、２００ ビルトインリモコン、２３０ 電波受信部、２８０ フラットリモコン、２９０ スティックリモコン、３５０ Ｌ型アングル、３５３ ネジ、５００ ペーパーホルダ、５１０ 固定ピース、５９０ トイレットペーパー、６００ キャビネット、６１０ 電源ユニット、６１２ コンセント、７００ トイレ用暖房装置、７００Ｓ 下面、７００Ｔ 設置基準面、７０２ 吸気口、７０４ 吹出口、７０８ 防塵フィルタ、７０９ 脱臭触媒シート、７１０ サーミスタ、７１２ ファン、７１４ ダクト、７１８ ヒータ、７２０ 温度ヒューズ、７２１ サーモスタット、７２４ マイカ、７２８ ルーバー、７３０ ダクト、７３４ フレグランス用トレイ、７３８ 吹出口、７４０ 操作部、７４２ 操作面、７５０  等温線、７９０ 吹出口、７９２ 吹出口、７９４ ヒータユニット、７９６ 吹出口、８００ 便器、８００Ｐ 前端、８１０ 温水洗浄便座装置、８４０ 電波送信部、９００ トイレ室、９０２Ａ、９０２Ｂ ドア
【図１】
2008267670.tif 000003
【図２】
2008267670.tif 000004
【図３】
2008267670.tif 000005
【図４】
2008267670.tif 000006
【図５】
2008267670.tif 000007
【図６】
2008267670.tif 000008
【図７】
2008267670.tif 000009
【図８】
2008267670.tif 000010
【図９】
2008267670.tif 000011
【図１０】
2008267670.tif 000012
【図１１】
2008267670.tif 000013
【図１２】
2008267670.tif 000014
【図１３】
2008267670.tif 000015
【図１４】
2008267670.tif 000016
【図１５】
2008267670.tif 000017
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
便器と、
トイレ室の壁面に沿って設けられる棚板と、
前記棚板の前記便器に近い端部の下面に取り付けられ前記トイレ室の床面から離間したトイレ用暖房装置と、
を備え、
前記トイレ用暖房装置は、前記棚板の前記下面に取り付けられる上面と、前記上面に対向する下面と、を有し、
前記トイレ用暖房装置の前記下面は、前記トイレ用暖房装置の厚みが前縁に向かって薄くなるように傾斜してなり、
前記トイレ用暖房装置の前記下面には、温風を吹き出す吹出口が設けられ、
前記トイレ用暖房装置は、前記吹出口から斜め下方に向け且つ前記トイレ室の略対角方向に向けて前記温風を吹き出すことを特徴とするトイレ用設備。
【請求項２】
前記トイレ用暖房装置の空気を吸い込む吸気口は、前記トイレ用暖房装置の前記下面に設けられたことを特徴とする請求項１記載のトイレ用設備。
【請求項３】
前記トイレ用暖房装置の操作スイッチが配置された操作面は、前記トイレ用暖房装置の前記下面から突出可能に設けられたことを特徴とする請求項１または２に記載のトイレ用設備。
【請求項４】
前記棚板は、天板と、前記天板の前縁に結合された幕板と、を有し、
前記幕板は、前記トイレ用暖房装置の前記前縁を隠蔽してなることを特徴とする請求項１〜３のいずれか１つに記載のトイレ用設備。
【手続補正３】
【補正対象書類名】明細書
【補正対象項目名】０００１
【補正方法】変更
【補正の内容】
【０００１】
本発明は、トイレ用設備に関し、具体的にはトイレ室を暖房可能なトイレ用暖房装置を備えたトイレ用設備に関する。
【手続補正４】
【補正対象書類名】明細書
【補正対象項目名】０００４
【補正方法】変更
【補正の内容】
【０００４】
本発明は、かかる課題の認識に基づいてなされたものであり、トイレ室の限られたスペースに効率的に配置でき、効率的な暖房を可能としたトイレ用暖房装置を備えたトイレ用設備を提供する。
【手続補正５】
【補正対象書類名】明細書
【補正対象項目名】０００５
【補正方法】変更
【補正の内容】
【０００５】
本発明の一態様によれば、便器と、トイレ室の壁面に沿って設けられる棚板と、前記棚板の前記便器に近い端部の下面に取り付けられ前記トイレ室の床面から離間したトイレ用暖房装置と、を備え、前記トイレ用暖房装置は、前記棚板の前記下面に取り付けられる上面と、前記上面に対向する下面と、を有し、前記トイレ用暖房装置の前記下面は、前記トイレ用暖房装置の厚みが前縁に向かって薄くなるように傾斜してなり、前記トイレ用暖房装置の前記下面には、温風を吹き出す吹出口が設けられ、前記トイレ用暖房装置は、前記吹出口から斜め下方に向け且つ前記トイレ室の略対角方向に向けて前記温風を吹き出すことを特徴とするトイレ用設備が提供される。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明によれば、トイレ室の限られたスペースに効率的に配置でき、効率的な暖房を可能としたトイレ用暖房装置を備えたトイレ用設備が提供される。
【手続補正８】
【補正対象書類名】明細書
【補正対象項目名】００４０
【補正方法】変更
【補正の内容】
【００４０】
これに対して、本実施形態によれば、温風吹出から６０秒後には便器８００の周囲のみならず、トイレ室９００の対角隅部までむらなく暖めることができる。その結果として、トイレ室９００に入室した使用者は、トイレ室９００の入口付近でも、便器８００の傍においても、暖められた空気に包まれ、トイレを快適に使用することができる。